(57)【要約】【課題】ヒートポンプ運転を実行する際、圧縮機から供給される高温高圧冷媒によって加熱用配管系の圧力が異常に上昇しないようにすることができる自動販売機を提供する。【解決手段】自動販売機１０００が有する冷凍回路は、圧縮機１と、高温高圧冷媒が選択的に供給されるガスクーラ２、左室凝縮器７ａおよび中室凝縮器７ｂと、これを通過した中温高圧冷媒が選択的に供給される並列配置されたキャピラリー４ａ、４ｂと、これを通過した冷媒が選択的に供給される、左室蒸発器６ａ、中室蒸発器６ｂおよび右室蒸発器６ｃと、を有する。そして、圧縮機１の始動時には、流体抵抗の小さいキャピラリー４ａを使用し、圧縮機１の安定時には、流体抵抗の大きなキャピラリー４ｂを使用する。【選択図】図３
2010033508.tif 000002
【特許請求の範囲】
【請求項１】
断熱材によって囲まれ一面に開口部を具備する筐体と、前記開口部を開閉する断熱扉と、前記筐体内に配置された仕切板によって仕切られた、左室、中室および右室と、該左室、中室および右室を選択的に加熱または冷却するための冷凍回路と、を有し、
前記冷凍回路が、
冷媒を圧縮する圧縮機と、
該圧縮機によって圧縮された冷媒が選択的に供給されるガスクーラと、
前記圧縮機によって圧縮された冷媒が選択的に供給される、前記左室に配置された左室凝縮器および前記中室に配置された中室凝縮器と、
前記ガスクーラを通過した冷媒、または前記左室凝縮器または前記中室凝縮器の一方または両方を通過した冷媒が、選択的に供給される並列配置された膨張手段と、
該膨張手段を通過した冷媒が選択的に供給される、前記左室に配置された左室蒸発器、前記中室に配置された中室蒸発器、および前記右室に配置された右室蒸発器と、
前記圧縮機と、前記ガスクーラと、前記並列配置された膨張手段と、前記左室蒸発器および前記中室蒸発器および前記右室蒸発器と、前記圧縮機とを順次連結して冷媒を循環させる冷却用配管系と、
前記圧縮機と、前記左室凝縮器および前記中室凝縮器と、前記並列配置された膨張手段と、を順次連結する加熱用配管系と、
を具備することを特徴とする自動販売機。
【請求項２】
前記並列配置された膨張手段が一対であって、相互に流体抵抗が相違し、
前記圧縮機の始動時には、前記並列配置された膨張手段のうち流体抵抗が小さい方の膨張手段に冷媒を供給し、前記圧縮機の安定運転時には、前記並列配置された膨張手段のうち流体抵抗が大きい方の膨張手段に冷媒を供給する、制御手段を有することを特徴とする請求項１記載の自動販売機。
【請求項３】
前記圧縮機の始動時には、前記並列配置された膨張手段のうちの全ての膨張手段に冷媒を供給し、前記圧縮機の安定運転時には、前記並列配置された膨張手段のうちの一部の膨張手段に冷媒を供給する、制御手段を有することを特徴とする請求項１記載の自動販売機。
【請求項４】
前記左室凝縮器または前記中室凝縮器の一方または両方を通過した冷媒と、外気との間で熱交換する庫外熱交換器を有することを特徴とする請求項１乃至３の何れかに記載の自動販売機。
【請求項５】
前記ガスクーラを通過した冷媒と前記圧縮機に戻る直前の冷媒とが熱交換可能で、前記左室凝縮器および前記中室凝縮器の一方または両方を通過した冷媒と前記圧縮機に戻る直前の冷媒とが熱交換可能な、内部熱交換器を有することを特徴とする請求項１乃至４の何れかに記載の自動販売機。
【請求項６】
前記冷媒が二酸化炭素であることを特徴とする請求項１乃至５の何れかに記載の自動販売機。
【発明の詳細な説明】
【技術分野】
【０００１】
本発明は自動販売機、特に、缶、ビン、パック、ペットボトル等の容器に入れた飲料等の商品を冷却または加熱して販売に供する自動販売機に関する。
【背景技術】
【０００２】
従来、自動販売機は、冷媒を圧縮する圧縮機と、圧縮された冷媒（高温高圧）を凝縮させる庫外凝縮器と、凝縮された冷媒（中温高圧）を膨張させる膨張手段と、膨張した冷媒（低温低圧）を蒸発させる庫内蒸発器と、これらを順次連結して蒸発した冷媒（中温低圧）を圧縮機に戻す冷凍サイクルを有し、商品を収納する各商品収納庫内に庫内蒸発器を設置して、商品を冷却していた。
また、庫内蒸発器に高圧高温冷媒（ホットガスに同じ）を流して、庫内蒸発器において温熱を放出させて（凝縮器と機能させて）商品収納庫内を加熱する「ヒートポンプ運転」を実行する発明が開示されている（例えば、特許文献１参照）。
【０００３】
しかし、前記特許文献１に開示された発明は、加熱しようとする商品収納庫に向かう高温高圧冷媒と、冷却した商品収納庫から流出して圧縮機に戻る低温低圧冷媒とが、開閉バルブによって隔絶されているだけであるため、開閉バルブに漏洩がある場合には、前者が後者に混じって圧縮機に直接戻ることになる。そうすると、商品収納庫に流入する高温高圧冷媒および低温低圧冷媒の量が減少して、加熱不足および冷却不足が生じると共に、これを防止するため圧縮機の負荷が増大して消費エネルギが増加することになる。
そこで、商品収納庫に高温高圧冷媒が供給される庫内凝縮器と、低温低圧冷媒が供給される庫内蒸発器とを並設して、高温高圧冷媒が流れる配管と、低温低圧冷媒が流れる配管とを分離する発明が開示されている（例えば、特許文献２参照）。
【０００４】
【特許文献１】特開２００２−２９８２１０号公報（第３−４頁、図１）
【特許文献２】特開２００７−３２８７６２号公報（第１７−１８頁、図４）
【発明の開示】
【発明が解決しようとする課題】
【０００５】
しかしながら、前記特許文献２に開示された発明は、前記特許文献１に開示された発明における問題点を解決するものの、以下のような新たな問題があった。
すなわち、ヒートポンプ運転を実行する際、圧縮機から流出した高温高圧冷媒は庫内凝縮器に供給された後、膨張手段に流入する（この間を連通する配管を「加熱用配管系」と称す）。そして、ここで膨張した低温低圧冷媒が、前記庫内凝縮器が設置された商品収納庫とは別の商品収納庫に設置された庫内蒸発器に供給される。
そのため、周囲温度が低いとき（以下、「低周温時」と称す）や、圧縮機の始動直後で膨張手段における冷媒の流れが安定するまでの間は、圧縮機から高温高圧冷媒が逐次供給されるため加熱用配管系の圧力が異常に上昇して、圧縮機自体や加熱用配管系に設置された電磁弁等を破損するおそれが生じる。
【０００６】
本発明は上記問題を解決するものであって、ヒートポンプ運転を実行する際、圧縮機から供給される高温高圧冷媒によって加熱用配管系の圧力が異常に上昇しないようにすることができる自動販売機を提供することを目的とする。
【課題を解決するための手段】
【０００７】
（１）本発明に係る自動販売機（請求項１）は、断熱材によって囲まれ一面に開口部を具備する筐体と、前記開口部を開閉する断熱扉と、前記筐体内に配置された仕切板によって仕切られた、左室、中室および右室と、該左室、中室および右室を選択的に加熱または冷却するための冷凍回路と、を有し、
前記冷凍回路が、
冷媒を圧縮する圧縮機と、
該圧縮機によって圧縮された冷媒が選択的に供給されるガスクーラと、
前記圧縮機によって圧縮された冷媒が選択的に供給される、前記左室に配置された左室凝縮器および前記中室に配置された中室凝縮器と、
前記ガスクーラを通過した冷媒、または前記左室凝縮器または前記中室凝縮器の一方または両方を通過した冷媒が、選択的に供給される並列配置された膨張手段と、
該膨張手段を通過した冷媒が選択的に供給される、前記左室に配置された左室蒸発器、前記中室に配置された中室蒸発器、および前記右室に配置された右室蒸発器と、
前記圧縮機と、前記ガスクーラと、前記並列配置された膨張手段と、前記左室蒸発器および前記中室蒸発器および前記右室蒸発器と、前記圧縮機とを順次連結して冷媒を循環させる冷却用配管系と、
前記圧縮機と、前記左室凝縮器および前記中室凝縮器と、前記並列配置された膨張手段と、を順次連結する加熱用配管系と、
を具備することを特徴とする。
【０００８】
（２）本発明に係る自動販売機（請求項２）は、前記並列配置された膨張手段が一対であって、相互に流体抵抗が相違し、
前記圧縮機の始動時には、前記並列配置された膨張手段のうち流体抵抗が小さい方の膨張手段に冷媒を供給し、前記圧縮機の安定運転時には、前記並列配置された膨張手段のうち流体抵抗が大きい方の膨張手段に冷媒を供給する、制御手段を有することを特徴とする。
（３）本発明に係る自動販売機（請求項３）は、前記圧縮機の始動時には、前記並列配置された膨張手段のうちの全ての膨張手段に冷媒を供給し、前記圧縮機の安定運転時には、前記並列配置された膨張手段のうちの一部の膨張手段に冷媒を供給する、制御手段を有することを特徴とする。
【０００９】
（４）本発明に係る自動販売機（請求項４）は、前記左室凝縮器または前記中室凝縮器の一方または両方を通過した冷媒と、外気との間で熱交換する庫外熱交換器を有することを特徴とする。
（５）本発明に係る自動販売機（請求項５）は、前記ガスクーラを通過した冷媒と前記圧縮機に戻る直前の冷媒とが熱交換可能で、前記左室凝縮器および前記中室凝縮器の一方または両方を通過した冷媒と前記圧縮機に戻る直前の冷媒とが熱交換可能な、内部熱交換器を有することを特徴とする。
（６）本発明に係る自動販売機（請求項６）は、前記冷媒が二酸化炭素であることを特徴とする。
【発明の効果】
【００１０】
（ｉ）本発明の請求項１に係る自動販売機は、ガスクーラを通過した冷媒、または左室凝縮器または中室凝縮器の一方または両方を通過した冷媒が、選択的に供給される並列配置された膨張手段を有するから、ヒートポンプ運転を実行する際、圧縮機の始動直後で膨張手段における冷媒の流れが安定するまでの間と、冷媒の流れが安定した後とで、冷媒が供給される膨張手段を選択することができる。したがって、圧縮機の始動直後は、膨張手段における流体抵抗を小さくすることによって加熱用配管系の圧力の異常な上昇を防止することができ、冷媒の流れが安定した後は、膨張手段における流体抵抗を大きくすることによって右室蒸発器等に供給される冷媒の温度を適正に維持することが可能になる。また、高価な電子膨張弁に替えて、安価なキャピラリーを使用することができるから、製造コストを安価にすることができる。
【００１１】
（ｉｉ）本発明の請求項２に係る自動販売機は、並列配置された膨張手段が一対であって、相互に流体抵抗が相違しているから、圧縮機の始動直後は、流体抵抗の小さい方の膨張手段に冷媒を供給し、冷媒の流れが安定した後は、流体抵抗の大きい方の膨張手段に冷媒を供給することによって、加熱用配管系の圧力の異常な上昇を防止することや、右室蒸発器等に供給される冷媒の温度を適正に維持することが可能になる。
（ｉｉｉ）本発明の請求項３に係る自動販売機は、圧縮機の始動時には並列配置された膨張手段のうちの全ての膨張手段に冷媒を供給し、圧縮機の安定運転時には、並列配置された膨張手段のうちの一部の膨張手段に冷媒を供給するから、前記（ｉｉ）と同様な作用効果が得られる。
【００１２】
（ｉｖ）本発明の請求項４に係る自動販売機は、庫外熱交換器を有するから、左室凝縮器または中室凝縮器の一方または両方を通過した冷媒が保有する温熱が、外気中に放出され、膨張手段の負担が低減される。特に、左室または中室の一方のみを加熱する場合に、有効である。
（ｖ）本発明の請求項５に係る自動販売機は、内部熱交換器を有するから、圧縮機に戻る直前の冷媒に温熱が受け渡され、温度が上昇するため、圧縮機の負担が低減される。
（ｖｉ）本発明の請求項６に係る自動販売機は、冷媒が二酸化炭素であって、圧縮機の始動直後に圧縮機から供給される高温高圧冷媒によって加熱用配管系の圧力が異常に上昇し易いから、前記（ｉｉ）と同様の作用効果が顕著になる。
【発明を実施するための最良の形態】
【００１３】
（自動販売機）
図１〜図６は本発明の実施の形態に係る自動販売機を説明するものであって、図１は正面視の断面図、図２は側面視の断面図、図３はこれに設置された冷却回路の構成図、図４、５は冷媒の流れ方を示す冷却回路構成図、図６は蒸発温度と経過時間との相関図である。
図１および図２において、自動販売機１０００は、自動販売機１０００の本体のキャビネット２００と、キャビネット２００の内部で断熱材３００に包囲された商品収納庫４００と、商品Ｓを補充する時に商品収納庫４００を開閉する商品補充用扉４０４と、商品収納庫４００と外気を遮断するための内扉４０５と、自動販売機１０００の前扉４０６と、を有している。
【００１４】
商品収納庫４００は仕切り板４０３ａｂ、４０３ｂｃによって商品室（以下、「左室」と称す）４０ａ、商品室（以下、「中室」と称す）４０ｂ、商品室（以下、「右室」と称す）４０ｃに仕切られている。
なお、以下の説明において、左室４０ａ、中室４０ｂおよび右室４０ｃのそれぞれに配置される部材において、共通する内容を説明する場合には、それぞれをまとめてまたはそれぞれを個別に、部材名称を形容する「左室、中室、右室」や、符号の添え字「ａ、ｂ、ｃ」を省略する場合がある。
【００１５】
各商品収納庫４００には、商品Ｓを収納するための商品収納ラック４０７と、商品収納ラック４０７から自然落下した商品Ｓを取出すための商品取出し口４０９と、商品Ｓを商品取出し口４０９まで誘導する商品誘導板４０８とが設置され、商品誘導板４０８の下方が庫内部品収納室４１０となっている。また、庫内空気を商品収納ラック４０７を経由して庫内部品収納室４１０に循環させるための循環ダクト４２０が設置されている。
【００１６】
そして、庫内部品収納室４１０には、庫内空気を商品誘導板４０８（通気孔が設けられている）を通過して商品Ｓに衝突させる送風手段４３０と、送風手段４３０の下流側（循環ダクト４２０から遠い側）に庫内熱交換器４４０と、送風手段４３０および庫内熱交換器４４０を収納する送風ダクト４５０と、送風ダクト４５０に連通して空気を通す風胴４６０と、が設置されている。
さらに、商品収納庫４００の下方には、コンデンシングユニット４７０および庫外ファン４８１を収納するための機械室４８０と、電装品および制御手段を収納するための電装品収納室４９０とが配置されている。
【００１７】
（冷媒回路）
図３において、自動販売機１０００が有する冷凍回路は、冷媒を圧縮する圧縮機１と、圧縮機１によって圧縮された冷媒（以下、「高温高圧冷媒」と称す）が選択的に供給されるガスクーラ２と、中温高圧冷媒が選択的に供給される、左室４０ａに配置された左室凝縮器７ａおよび中室４０ｂに配置された中室凝縮器７ｂと、ガスクーラ２を通過した冷媒（以下、「中温高圧冷媒」と称す）、または左室凝縮器７ａまたは中室凝縮器７ｂの一方または両方を通過した冷媒（以下、「中温高圧冷媒」と称す）が、選択的に供給される並列配置されたキャピラリー（膨張手段に同じ）４ａ、４ｂと、キャピラリー４ａ、４ｂを通過した冷媒が選択的に供給される、左室４０ａに配置された左室蒸発器６ａ、中室４０ｂに配置された中室蒸発器６ｂ、および右室４０ｃに配置された右室蒸発器６ｃと、を有する。
このとき、左室蒸発器６ａ、中室蒸発器６ｂ、および右室蒸発器６ｃの入側には、それぞれ流量調整弁９ａ、流量調整弁９ｂ、および流量調整弁９ｃが設置されている。
【００１８】
また、左室凝縮器７ａまたは中室凝縮器７ｂの一方または両方を通過した中温高圧冷媒を冷却するための庫外熱交換器８が、ガスクーラ２に外気を供給する庫外ファン４８１の風路内に設置されている。
また、ガスクーラ２を通過した中温高圧冷媒が保有する温熱、または左室凝縮器７ａまたは中室凝縮器７ｂの一方または両方を通過した中温高圧冷媒が保有する温熱を、圧縮機１に戻る直前の冷媒（以下、「低温低圧冷媒」と称す）に受け渡す内部熱交換器３が設置されている。なお、内部熱交換器３は、中温高圧冷媒が流通する中温高圧側配管３ａと、低温低圧冷媒が流通する低温低圧側配管３ｂと、を具備し、両者が熱交換自在に、直接当接または熱伝熱媒体を介して配置されている。
【００１９】
そして、圧縮機１と、ガスクーラ２と、内部熱交換器３と、並列配置された膨張手段４ａ、４ｂと、左室蒸発器６ａおよび中室蒸発器６ｂおよび右室蒸発器６ｃと、圧縮機１とを順次連結して冷媒を循環させる冷却用配管系が形成されている。
また、圧縮機１と、左室凝縮器７ａおよび中室凝縮器７ｂと、庫外熱交換器８と、内部熱交換器３と、を順次連結する加熱用配管系が形成されている。
なお、符号ｊの部材と符号ｋの部材とを連結する配管を符号ｊｋにて示し、配管ｊｋに設置された電磁弁（開閉弁に同じ）を符号ｊｋｖと、配管ｊｋに設置された逆止弁（逆流防止弁に同じ）を符号ｊｋｎする。
【００２０】
（冷媒の流れ、ＣＣＣ運転モードの始動時）
図４の（ａ）において、ＣＣＣ運転モードの始動時における冷媒の流れを実線にて示している。すなわち、圧縮機１において圧縮された高温高圧冷媒は、配管１２（電磁弁１２ｖが開き、電磁弁１６ａｖ、１６ｂｖが閉じている）を経由してガスクーラ２に流入し、さらに、配管２３を経由して内部熱交換器３を通過した中温高圧冷媒は流体抵抗が小さい方のキャピラリー４ａに供給される。そして、キャピラリー４ａにおいて膨張した低温低圧冷媒は、分岐点５において分岐され、配管５６ａ、５６ｂ、５６ｃ（電磁弁５６ａｖ、５６ｂｖ、５６ｃｖが開いている）に流入し、それぞれ流量調整弁９ａ、９ｂ、９ｃによって流量調整され、左室蒸発器６ａ、中室蒸発器６ｂ、右室蒸発器６ｃに供給される。
【００２１】
そうすると、低温低圧冷媒は、左室蒸発器６ａ、中室蒸発器６ｂ、および右室蒸発器６ｃにおいて、蒸発（冷熱を放出）して、左室４０ａ、中室４０ｂ、および右室４０ｃを冷却する。さらに、前記蒸発した後の冷媒（中温低圧冷媒に同じ）は、配管６３ａ、６３ｂ、６３ｃを経由して内部熱交換器３を通過した後、圧縮機１に戻る循環をする。
なお、加熱用配管系の配管８３には、逆止弁８３ｎが設置されているから、中温高圧冷媒が庫外熱交換器８等に流入することはない。
【００２２】
（冷媒の流れ、ＣＣＣ運転モードの安定時）
図４の（ｂ）において、ＣＣＣ運転モードの安定時における冷媒の流れを実線にて示している。すなわち、キャピラリー４ａ内の流れが安定した後は、流体抵抗が小さい方のキャピラリー４ａに替えて、流体抵抗が大きい方のキャピラリー４ｂに、中温高圧冷媒が供給される。
したがって、ＣＣＣ運転モードの始動時には、流体抵抗の小さいキャピラリー４ａを使用することによって、冷却用配管系（圧縮機１、ガスクーラ２、配管１２等）の圧力の異常な上昇が防止されている。よって、冷凍回路における機器の保全性や耐久性が向上する。
そして、冷媒の流れが安定した後は、流体抵抗の大きなキャピラリー４ａを使用することによって、左室蒸発器６ａ等に供給される冷媒の温度を適正に維持することが可能になる。
【００２３】
このとき、高価な電子膨張弁を用いて流量調整することに替えて、安価なキャピラーチューブを使用するから、製造コストが安価に抑えられている。
【００２４】
なお、以上は、始動時に、流体抵抗の小さいキャピラリー４ａのみを使用しているが、本発明はこれに限定するものではなく、始動時に、流体抵抗の小さいキャピラリー４ａと流体抵抗の大きなキャピラリー４ｂの両方を使用して、安定時には、後者のみを使用するようにしてもよい。
さらに、キャピラリー４ａの流体抵抗とキャピラリー４ｂの流体抵抗とを等しくして、始動時には両方を使用し、安定時には、一方を使用してもよい。なお、一方を使用する場合、特定の一方を使用しても、所定の間隔毎に交互に使用してもよい。
【００２５】
（冷媒の流れ、ＨＣＣ運転モードの始動時）
図５の（ａ）において、ＨＣＣ運転モードの始動時における冷媒の流れを実線にて示している。すなわち、圧縮機１において圧縮された高温高圧冷媒は、配管１６ａ（電磁弁１６ａｖが開き、電磁弁１２ｖ、１６ｂｖが閉じている）を経由して左室凝縮器７ａに流入して凝縮（温熱を放出）して、左室４０ａを加熱する。さらに、左室４０ａを加熱した後の冷媒（中温高圧冷媒）は、庫外熱交換器８および内部熱交換器３に流入して、さらに温度を下げた後、流体抵抗が小さい方のキャピラリー４ａに供給される。
そして、キャピラリー４ａにおいて膨張した低温低圧冷媒は、分岐点５において分岐され、配管５６ｂ、５６ｃ（電磁弁５６ａｖが閉じ、電磁弁５６ｂｖ、５６ｃｖが開いている）に流入し、それぞれ流量調整弁９ｂ、９ｃによって流量調整され、左室蒸発器６ａ、中室蒸発器６ｂ、右室蒸発器６ｃに供給される。
【００２６】
そうすると、低温低圧冷媒は中室蒸発器６ｂおよび右室蒸発器６ｃにおいて、蒸発（冷熱を放出）して、中室４０ｂおよび右室４０ｃを冷却する。さらに、前記蒸発した後の冷媒（中温低圧冷媒に同じ）は、配管６３ａ、６３ｂ、６３ｃを経由して内部熱交換器３を通過した後、圧縮機１に戻る循環をする。
なお、冷却用配管系の配管２３には、逆止弁２３ｎが設置されているから、中温高圧冷媒がガスクーラ２等に流入することはない。
【００２７】
（冷媒の流れ、ＨＣＣ運転モードの安定時）
図５の（ｂ）において、ＣＣＣ運転モードの安定時における冷媒の流れを実線にて示している。すなわち、キャピラリー４ａ内の流れが安定した後は、流体抵抗が小さい方のキャピラリー４ａに替えて、流体抵抗が大きい方のキャピラリー４ｂに、中温高圧冷媒が供給される。
したがって、ＨＣＣ運転モードの始動時には、流体抵抗の小さいキャピラリー４ａを使用することによって、加熱用配管系（圧縮機１、左室凝縮器７ａ、配管１７ａ等）の圧力の異常な上昇が防止されている。そして、冷媒の流れが安定した後は、流体抵抗の大きなキャピラリー４ａを使用することによって、左室蒸発器６ａ等に供給される冷媒の温度を適正に維持することが可能になる。このとき、高価な電子膨張弁を用いて流量調整することに替えて、安価なキャピラリーを使用しているから、製造コストが安価に抑えられている。
【００２８】
なお、以上は、始動時に、流体抵抗の小さいキャピラリー４ａのみを使用しているが、本発明はこれに限定するものではなく、始動時に、流体抵抗の小さいキャピラリー４ａと流体抵抗の大きなキャピラリー４ｂの両方を使用して、安定時には、後者のみを使用するようにしてもよい。
さらに、キャピラリー４ａの流体抵抗とキャピラリー４ｂの流体抵抗とを等しくして、始動時には両方を使用し、安定時には、一方を使用してもよい。なお、一方を使用する場合、特定の一方を使用しても、所定の間隔毎に交互に使用してもよい。
【００２９】
（安定運転の判定）
図６において、縦軸はキャピラリー４ａの出口における冷媒温度（低温低圧冷媒の温度、以下、「蒸発温度」と称す）であり、横軸は時間経過である。
すなわち、時刻Ｔ０に圧縮機１を始動すると、その直後に蒸発温度は急激に一旦低下しした後、除々に上昇を始める。そして、所定時刻Ｔ１と所定時刻Ｔ２（＝Ｔ１＋ΔＹ）との間における蒸発温度の上昇量（ΔＫ）の割合（＝ΔＫ／ΔＴ）が、「１Ｋ／ｍｉｎ，」以下になったとき、安定運転に移行したと判定し、時刻Ｔ２以降は、流体抵抗の大きなキャピラリー４ｂの使用に切り替える。
【産業上の利用可能性】
【００３０】
本発明によれば、始動時における圧縮機等の高圧圧力の異常上昇が防止される、冷凍回路における機器の保全性や耐久性が向上するから、各種自動販売機として広く利用することができる。
【図面の簡単な説明】
【００３１】
【図１】本発明の実施の形態に係る自動販売機を説明する正面視の断面図。
【図２】図１に示す自動販売機の側面視の断面図。
【図３】図１に示す自動販売機に設置された冷却回路の構成図。
【図４】図１に示す自動販売機における冷媒の流れ方を示す冷却回路構成図。
【図５】図１に示す自動販売機における冷媒の流れ方を示す冷却回路構成図。
【図６】図１に示す自動販売機における蒸発温度と経過時間との相関図。
【符号の説明】
【００３２】
１ 圧縮機
２ ガスクーラ
３ 内部熱交換器
３ａ 中温高圧側配管
３ｂ 低温低圧側配管
４ａ キャピラリー（膨張手段）
４ｂ キャピラリー（膨張手段）
５ 分岐点
６ａ 左室蒸発器
６ｂ 中室蒸発器
６ｃ 右室蒸発器
７ａ 左室凝縮器
７ｂ 中室凝縮器
８ 庫外熱交換器
９ａ 流量調整弁
９ｂ 流量調整弁
９ｃ 流量調整弁
４０ａ 左室
４０ｂ 中室
４０ｃ 右室
２００ キャビネット
３００ 断熱材
４００ 商品収納庫
４０３ａｂ 仕切り板
４０３ｂｃ 仕切り板
４０４ 商品補充用扉
４０５ 内扉
４０６ 前扉
４０７ 商品収納ラック
４０８ 商品誘導板
４０９ 口
４１０ 庫内部品収納室
４２０ 循環ダクト
４３０ 送風手段
４４０ 庫内熱交換器
４５０ 送風ダクト
４６０ 風洞
４７０ コンデンシングユニット
４８０ 機械室
４８１ 庫外ファン
４９０ 電装品収納室
１０００ 自動販売機
Ｓ 商品
【図１】
2010033508.tif 000003
【図２】
2010033508.tif 000004
【図３】
2010033508.tif 000005
【図４】
2010033508.tif 000006
【図５】
2010033508.tif 000007
【図６】
2010033508.tif 000008